(57)【要約】【課題】台形の単体を複数接合してピースを形成しつつも複数種類のピースによって難度の高い組み合わせが得られる。【解決手段】パズル１は大型の台形のベース部に複数種類のピース３を敷き詰めて組み合わせることで完成する。ピース３は台形からなる単体を４個接合して各単体の裏面に凸部を形成し、異なる形状のピース３を１６種類選択する。各ピース３の正しい敷き詰め位置に対応する受け部をベース部に形成する。受け部はピース３の各単体の凸部を嵌合させる凹部を４個形成した。各ピース３は正しい位置でベース部の受け部に組み合わせた場合にのみ凸部が凹部に嵌合する。【選択図】図１
2015000178.tif 000002
【特許請求の範囲】
【請求項１】
複数のピースと、前記複数のピースを組み合わせて載置するベース部とを備えたパズルであって、
前記ピースは、上辺と両側辺の長さが等しく底辺の長さが上辺の２倍の長さからなる台形形状の単体を複数接合してなると共に、前記各単体の裏面に凸部または凹部をそれぞれ設けてなり、
前記ベース部は、ピースの形状に応じた形状を有する受け部を設け、該受け部は前記ピースの凸部または凹部に対応する凹部または凸部を設けてなり、
複数種類のピースを前記ベース部の受け部にそれぞれ配設して前記ピースと受け部の一方に設けた凸部と他方に設けた凹部を互いに嵌合させることを特徴とするパズル。
【請求項２】
前記ピースは４個の単体を接合してなる請求項１に記載されたパズル。
【請求項３】
前記ピースは２個以上５個までの単体を接合したものを複数種類備えている請求項１に記載されたパズル。
【請求項４】
前記複数種類のピースの少なくとも一部には表面と裏面に凸部が形成されている請求項１から３のいずれか１項に記載されたパズル。
【発明の詳細な説明】
【技術分野】
【０００１】
この発明は、形状の異なる複数種類のピースを特定の形状を有するベース部に組み合わせたパズルに関する。
【背景技術】
【０００２】
従来、パズルとして、互いに異なる様々な形のピースを組み合わせることで、予め設定された特定の枠やシルエットと同じ形状を作るものが広く知られており、このようなパズルはシルエットパズルと呼ばれている。
この種のシルエットパズルとして例えばタングラムというシルエットパズルが有名である。タングラムパズルは正方形の枠を有するケースに対して、枠内に収まる正方形の板を互いに形の異なる複数のピースに切り分けておき、これらのピースが正方形の枠内の正方形に組み合わせられるように組み込むものである。
【０００３】
また、その他のシルエットパズルとして特許文献１に記載されたパズルゲームが提案されている。このパズルは、上底と両側辺の長さが等しく下底がこれらの２倍の長さに形成された台形の単体を組み合わせてなるもので、パズルケースは厚みの大きい複数の台形単体で枠を形成し、厚みの小さい複数の台形単体で底部を形成して特定形状のシルエットに形成した。
【０００４】
そして、パズルピースは、２つの台形単体を頂点同士、または頂点と下底の中央点とで接合させてなり、異種形状に形成した９種類のパズルピースを形成することができる。これら９種類のパズルピースの内の８種類のものを選択して、上述したパズルケースの枠内の特定形状に組み合わせるようにしている。また、これらのうち適宜数の種類のパズルピースを選択し、しかも同種類のパズルピースを０または偶数枚選択し、或いは同種類のパズルケースを奇数枚選択することで、所定形状のシルエットを形成するようにしている。
【先行技術文献】
【特許文献】
【０００５】
【特許文献１】特開２００１−６２１３８号公報
【発明の概要】
【発明が解決しようとする課題】
【０００６】
しかしながら、上述したタングラムというパズルは簡単すぎて飽きてしまう。また、特許文献１に記載されたパズルゲームでは、各パズルピースが板状であって２個の台形の組み合わせによって形成されるため９種類のピースしかなく、簡単なシルエット形状しか組み合せられなかった。しかも、同一の８種類のパズルピースを異なる配置に組み合わせることで同一のシルエットの枠形状を得られる複数通りの組み合わせがあるため、パズルピースの多彩な配置が可能であるもののパズルとしての難度に欠けて飽きられやすいという欠点があった。
【０００７】
本発明は、このような課題に鑑みてなされたものであり、台形の単体を複数接合してピースを形成しつつも複数種類のピースによって難度の高い組み合わせが得られるようにしたパズルを提供することを目的とする。
【課題を解決するための手段】
【０００８】
本発明に係るパズルは、複数のピースと、複数のピースを組み合わせて載置するベース部とを備えたパズルであって、ピースは、上辺と両側辺の長さが等しく底辺の長さが上辺の２倍の長さからなる台形形状の単体を複数接合してなると共に、各単体の裏面に凸部または凹部をそれぞれ設けてなり、ベース部は、ピースの形状に応じた形状を有する受け部を設け、該受け部はピースの凸部または凹部に対応する凹部または凸部を設けてなり、複数種類のピースをベース部の受け部にそれぞれ配設してピースと受け部の一方に設けた凸部と他方に設けた凹部を互いに嵌合させることを特徴とする。
本発明によるパズルは、ベース部の受け部に特定形状のピースを組み合わせて敷き詰めると共に、受け部に形成した凹部または凸部にピースの各単体の凸部または凹部がそれぞれ嵌合することで正しく組み合わせたことになり、受け部に対するピースの組み合わせ位置が正しくないと凸部と凹部が嵌合できない。そのため、受け部に対する各ピースの組み合わせが特定されるためにパズルとしての難度が高くなると共に、各ピースが受け部の正しい位置に敷き詰められたか否かを凸部と凹部の嵌合によって容易に認識して組み合わせをガイドできる。
【０００９】
また、ピースは４個の単体を接合してなることが好ましい。
４個の台形形状の単体について等しい長さの辺同士を接合したピースは３５種類の平面形状を有しており、これらのうちの適宜種類のピースを選択してベース部の受け部に正しく敷き詰めて凸部と凹部を互いに嵌合させることで組み合わせを完成できる。
【００１０】
また、ピースは２個以上５個までの単体を接合したものを複数種類備えていてもよい。
異なる数の単体を接合した複数種類のピースを組み合わせてベース部に敷き詰めて凸部と凹部を嵌合させることでより組合せ難度の高いパズルが得られる。
【００１１】
また、複数種類のピースの少なくとも一部には表面と裏面に凸部が形成されていてもよい。
各ピースの少なくとも一部には表面と裏面に凸部を形成することで、ベース部の受け部に複数種類のピースを組み合わせて完成した状態で凸部による立体的なピースの組み合わせ形状が得られて見栄えがよい。なお、凸部の形状は表面と裏面とでそれぞれ同一でもよく、同一でなくてもよい。
【発明の効果】
【００１２】
本発明に係るパズルによれば、台形の単体を複数接合した複数種類のピースをベース部に組み合わせると共に、各ピースとベース部の一方に設けた凸部と他方に設けた凹部を互いに嵌合させることで完成できるので、各ピースは正しい位置にのみ位置決めでき、ピースの数や種類が少なくても複雑で難度が高く、しかも複数のピースの組み合わせ位置を凸部と凹部の嵌合によって確認できる従来にないパズルを得られる。
【図面の簡単な説明】
【００１３】
【図１】本発明の第一実施形態によるパズルにおける複数種類のピースをベース部に組み合わせた完成状態の平面図である。
【図２】図１に示す複数種類のピースを所定位置に配置すべきベース部の平面図である。
【図３】図１に示す１つのピースを示すもので、（ａ）は上面図、（ｂ）は裏面図、（ｃ）は側面図である。
【図４】図１に示す複数種類のピースの裏面を示す図である。
【図５】図２に示すベース部のＡ−Ａ線断面図である。
【図６】第二実施形態によるパズルのピースを示すもので、（ａ）は上面図、（ｂ）は一の側面図、（ｃ）は他の側面図である。
【図７】第三実施形態によるパズルにおける複数種類のピースをベース部に組み合わせた完成状態の平面図である。
【発明を実施するための形態】
【００１４】
以下、本発明の一実施形態によるパズルを図１乃至図５に基づいて説明する。
図１及び図２において、本発明の第一実施形態によるパズル１は、例えば大型の台形形状で略板状のベース部２と、ベース部２にそれぞれ載置されて組み合わされる複数種類のピース３とで構成されている。図１に示す複数種類のピース３は例えば図３に示すように、同一寸法の台形からなる基本構成を備えた単体４が複数個、例えば４個接合して一体化したものである。
【００１５】
そして、図３において、各ピース３の各単体４は上辺と両側辺とが同一寸法ｘであり、底辺がこれらの２倍の寸法２ｘからなる台形とされている。各ピース３は各単体４の寸法を同じくする上辺、両側辺のいずれか１辺同士で接合させたり、或いは寸法を同じくする底辺同士で接合することで一体化されている。このような条件で４個の単体４を互いに接合し、しかも各ピース３が異なる平面形状になるものをつくると３５種類のピース３が得られる。本実施形態ではこれら３５種類の平面形状のピース３から図２に示す大型の台形となる組み合わせを得るために図４に示す互いに異なる平面形状を有する１６種類のピース３を選択した。なお、本実施例では互いに異なる平面形状の１６種類のピース３を選択したが、これらのピース３の一部は同一の平面形状であってもよい。ピース３の平面形状が互いに異なっていると、ピースの混同を避けること、そしてパズルとしての難度を高くすることができる。
【００１６】
そして、図３に示す各１つのピース３は、台形の各単体４の表面５が平面であり、裏面に略四角錐台状（または屋根形状）の凸部６が形成されている。この凸部６は各単体４の対向する上辺と底辺から頂部６ａに向かって平面状で台形の傾斜面が形成されて頂部６ａの小幅の面を以て交差し、また対向する両側辺から頂部６ａに向かって略三角形状の傾斜面が形成されて頂部６ａの両端部で交差する。そのため、図３に示すように、各ピース３の４個の単体４の裏面に形成される凸部６の向きはそのピース３の各単体４における台形の各辺の配置によって決定される。そして、１６種類の各ピース３の各単体４の裏面における４個の凸部６は図４に示すように形成されている。
ここで、上記１６種類のピース３の平面形状の一部が重複している場合であっても、凸部の配置を変えることによって、異なるピースとすることができる。また、表面５は無地でもよいし、或いは適宜の図柄の装飾や模様を施しても良い。
【００１７】
次に、図２に示すベース部２の表面２ａは、１６種類のピース３を組み合わせて配置可能な凹部８を配列した複数の受け部１０を有している。単一の凹部８は各ピース３の単体４に形成した凸部６が嵌合可能な略四角錐台状の凹部形状とされ、平面形状が台形をなす各凹部８において対向する上辺と底辺から底部８ａに向かって平面状で台形の傾斜面が形成されて底部８ａの小幅の面で交差し、また対向する両側辺から底部８ａに向かって略三角形状の傾斜面が形成されて底部８ａの両端部で交差する形状を有する。そのため、ベース部２は図５における図２のＡ−Ａ線断面で示すように略四角錐台状の凹部８が配列されている。
【００１８】
また、ベース部２は、図２において太字で示すピース３に対応する形状をなす４個の凹部８を１組とする受け部１０が緊密に配列されて構成され、各受け部１０に対応する形状のピース３を配置可能とされている。なお、図２でベース部２において太字で示す受け部１０の配列は理解を助けるために便宜的に書き込んだものであって実際には太字の表示はない。そのため、パズルゲームの組み合わせ時には、遊技者にはベース部２の受け部１０の配列は不明であり、単に複数の凹部８がランダムに配列されて見えるにすぎない。しかも、ベース部２は外縁部が大型の台形形状であり、単体４の台形の各辺寸法ｘ、２ｘとの関係で上辺と両側辺は長さ（ｘ×８）、底辺は長さ（ｘ×１６）の寸法に設定されている。
【００１９】
凸部６の高さ、または凹部８の深さは特に限定されず、ピース３をベース部２上の正しい位置に載置した場合に凸部６と凹部８が嵌合できれば、ピース３を構成する各単体４の凸部６の高さがそれぞれ異なっていたり、ベース部２の凹部８の深さがそれぞれ異なっていたりしても良い。
また、図３（ｃ）に示すピース３の表面５の厚さｙはわずかであるが、遊技者によるピース３の掴み易さを良くするために、凸部６とは別に表面５に厚さｙより大きな所定の厚みｙ´を形成することが好ましい。例えば、単体４の台形の各辺寸法ｘ、２ｘとの関係で表面５の厚みｙ´＝０．４ｘ程度であれば、ピース３の取扱いが容易となるが、表面５の厚みは扱いやすさを損なわない限り任意に変更しても良い
【００２０】
本実施形態によるパズル１は上述した構成を備えているから、ベース部２の形状に対応する正しい平面形状のピース３を選択して順次敷き詰めて、各ピース３の４個の単体４の裏面の凸部６を受け部１０の各凹部８に嵌合させ、大型の台形形状のシルエットに組み立てる。また、各ピース３をベース部２の台形形状の受け部１０に合わせて組み合わせ可能であっても、そのピース３が正しい受け部１０の位置でない場合には当該ピース３の各単体４の裏面の凸部６が凹部８に嵌合できないため、そのピース３が正しい位置に敷き詰められたか否かを容易に判別できる。
【００２１】
そのため、ピース３を選択してベース部２に敷き詰める際、ピース３の平面形状と凸部６が受け部１０と凹部８に適合する必要があるため組合せの難度が高く、しかもピース３の正しい位置は凸部６が凹部８に嵌合するか否かで認識できるため正しい１つの組合せをガイドする。
なお、４個の単体４からなるピース３は３５種類あるため、選択する１６種類のピース３とベース部２を異なる組み合わせに代えてパズル１を製造することができる。
【００２２】
上述のように本第一実施形態によるパズル１は、台形形状の単体４の裏面に凸部６を形成したものを４個連結したピース３を互いに異なる平面形状に形成し、ベース部２に凸部６を嵌合可能な凹部８を４個連結した受け部１０を配列したため、各ピース３は正しい位置にのみ嵌合できてベース部２のシルエットに導き易い上に難度が高い。
【００２３】
なお、本発明によるパズル１は上述の実施形態に限定されるものではなく、その要旨を逸脱しない範囲で種々の変更や置換等が可能である。以下、本発明の他の実施形態や変形例について説明するが、上述した第一実施形態と同一または同様な部品や部材には同一の符号を用いて説明する。
【００２４】
例えば、図６は本発明の第二実施形態によるパズル１に用いるピース１３を示す図である。
本第二実施形態において、ベース部２は第一実施形態のものと同じものを用いる。パズル１におけるベース部２の受け部１０に嵌合するピース１３は第一実施形態で用いた互いに線対称な形状のピース３の表面同士を接着剤等で接合したもの、或いは一体形成したものである。この場合、各ピース１３は表裏で対称形状をなす異なるものになり、２３種類の平面形状のピース１３を得られる。２３種類の平面形状のピース１３の中から１６種類のピース１３を選択して、上述したべース部２の受け部１０に形成された各４個の凹部８に各ピース１３を嵌合して正しい位置にそれぞれ敷き詰めることができる。このようなベース部２のシルエットに敷き詰めることができる１６種類のピース１３は現在のところ４３通りの組み合わせが発明者によって発見されている。
【００２５】
本第二実施形態によるパズル１によれば、上述した第一実施形態による効果に加えて、各ピース１３の表面の凸部６が浮き出るので立体感のあるパズル１が得られる。
【００２６】
次に本発明の第三実施形態によるパズル１５を図７により説明する。
図７に示すように、本第三実施形態によるパズル１５は、六角形のベース部１６に台形形状の単体４を４個接合したピース３を３２種類選択して敷き詰めることで完成する。ベース部１６は第一実施形態に示す台形形状のベース部２を２つ組み合わせた形状を有しており、受け部１０も３２種類形成されている。３５種類の平面形状のピース３から３２種類のピース３を選択して、各凹部８を４個組み合わせた受け部１０を３２種類配列したベース部１６に敷き詰める組合せ例として、図７に示す例を含めて３７種類の組み合わせが発明者によって発見されている。
なお、本第三実施形態によるパズル１５においても対称形状のピース３を表裏面に貼り付けたピース１３をベース部１６に敷き詰めるようにしてもよい。また、図７において、各ピース３の表面５の模様は各ピース３を互いに区別するために便宜的に付与したものであり、各表面５の模様の異同は各ピース３の異同を意味するものではない。実際には各ピース３の表面５に模様を形成しない。
【００２７】
上述した各実施形態では、４個の単体４を接合したものを１ピース３、１３としてそれぞれ異なる種類のピース３、１３を複数選択し、これに対応する種類の受け部１０を配列したべース部２、１６と共に形成したが、本発明における単一のピース３、１３と受け部１０は４個の単体４の接合形状に限定されるものではない。例えば３個の単体４の接合形状で各ピース３、１３を形成してもよいが、この場合には異なる種類のピース３、１３が９種類となり、少なすぎる。
【００２８】
そのため、２個の単体４からなるピースと３個の単体４からなるピースとを組み合わせることでパズル１を形成してもよい。或いは、２個の単体４からなるピースと３個の単体４からなるピースに加えて、４個の単体４のピースや５個の単体４のピースの少なくとも一方を組み合わせてもよく、２個から５個までの単体４を接合した複数種類のピースの中から、適宜の複数個の単体４を接合した複数種類のピースを組み合わせて、互いに異なる種類のピースと受け部をそれぞれ形成してもよい。また、６個の単体４を接合してピースを形成してもよいが、この場合、ピース数が少ないとパズルが簡単すぎ、ピース数が多いと難度が高すぎることになる。なお、これらの場合のピース３，１３の形状は図１や図７で示す各４個の単体４からなるピース３，１３を元に単体４毎に所要な個数に区分けして製作すればよい。
【００２９】
なお、上述した各実施形態等では、シルエットを構成するベース部として、台形のベース部２やベース部２を組み合わせた六角形のベース部１６を採用し、これらにピース３、１３を敷き詰める構成について説明したが、ベース部は必ずしも台形や六角形である必要はなく、適宜形状のシルエットを備えたベース部を採用できる。例えば、上述した従来技術に示す非定型のパズルケースのようなベース部を採用してもよい。
【００３０】
また、上述した実施形態では、ピース３、１３の裏面に単体４毎に凸部６を設け、受け部１０に凸部６を嵌合させる凹部８を形成したが、これに代えてピース３，１３の裏面に単体４毎に凹部を形成し、ベース部２、１６の受け部１０に凸部を形成するようにしてもよい。
また、上述した各実施形態で示すピース３、１３では台形の単体４における長さの等しい上辺同士や上辺と側辺同士、或いは底辺同士を接合して形成したが、一の単体４の上辺や側辺と他の単体の底辺の端部から１／２の長さの部分とを接合するようにしてもよい。この場合でも、ピース３，１３同士の組み合わせが比較的容易である。
【符号の説明】
【００３１】
１、１５  パズル
２、１６  ベース
３、１３  ピース
４  単体
５  表面
６  凸部
６ａ  頂部
８  凹部
８ａ  底部
１０  受け部
【図１】
2015000178.tif 000003
【図２】
2015000178.tif 000004
【図３】
2015000178.tif 000005
【図４】
2015000178.tif 000006
【図５】
2015000178.tif 000007
【図６】
2015000178.tif 000008
【図７】
2015000178.tif 000009